(57)【特許請求の範囲】
【請求項１】
可撓性を有するディスクの記録面に沿って移動するヘッドと、前記ディスクに対して情報の記録又は再生のいずれかを行う際に前記ディスクの回転を安定化する安定化部材と、を備えるディスク装置において、
前記安定化部材は、前記ディスクの回転軸と前記ヘッドの移動経路を含む第１面での断面が前記ディスクに対し凸形状であり、かつ前記ディスクの回転軸を含み前記第１面に垂直な第２面での断面が前記ディスクに対し凹形状であることを特徴とするディスク装置。
【請求項２】
可撓性を有するディスクの記録面に沿って移動するヘッドと、前記ディスクに対して情報の記録又は再生のいずれかを行う際に前記ディスクの回転を安定化する安定化部材と、を備えるディスク装置において、
前記安定化部材は、前記ディスクの回転軸を含み、前記ヘッドの移動経路に垂直な面での断面が前記ディスクに対し凹形状であり、かつ前記ディスク上の、少なくともヘッドの下流側かつ外周部近傍の領域に対応する部分にすり鉢形状の肉盗み部が形成されていることを特徴とするディスク装置。
【請求項３】
前記安定化部材の外周には、前記ディスクを包囲する側壁部が設けられ、該側壁部は、前記ディスク上の、少なくともヘッドの下流側かつ外周部近傍の領域に対応する位置に通孔部が形成されていることを特徴とする請求項１又は２に記載のディスク装置。
【請求項４】
可撓性を有するディスクを回動可能に収納するケーシングと、前記ディスクの記録面に沿ってヘッドを相対移動しつつ情報の記録又は再生のいずれかを行なう際に前記ディスクの回転を安定化する安定化部材と、を備えるディスクカートリッジにおいて、
前記安定化部材は、前記ディスクの回転軸と前記ヘッドの移動経路を含む第１面での断面が前記ディスクに対し凸形状であり、かつ前記ディスクの回転軸を含み前記第１面に垂直な第２面での断面が前記ディスクに対し凹形状であることを特徴とするディスクカートリッジ。
【請求項５】
可撓性を有するディスクを回動可能に収納するケーシングと、前記ディスクの記録面に沿ってヘッドを相対移動しつつ情報の記録又は再生のいずれかを行なう際に前記ディスクの回転を安定化する安定化部材と、を備えるディスクカートリッジにおいて、
前記安定化部材は、前記ディスクの回転軸を含み、前記ヘッドの移動経路に垂直な面での断面が前記ディスクに対し凹形状であり、かつ前記ディスク上の、少なくともヘッドの下流側かつ外周部近傍の領域に対応する部分にすり鉢形状の肉盗み部が形成されていることを特徴とするディスクカートリッジ。
【請求項６】
前記ケーシングは、前記ディスク上の、少なくともヘッドの下流側かつ外周部近傍の領域に対応する位置に通孔部が形成されていることを特徴とする請求項４又は５に記載のディスクカートリッジ。
【請求項７】
前記ケーシングは、前記ディスクを包囲する円筒状の側壁部を有することを特徴とする請求項４〜６のいずれか一項に記載のディスクカートリッジ。
【発明の詳細な説明】
【技術分野】
【０００１】
本発明は、ディスク装置及びディスクカートリッジに係り、さらに詳しくは、ディスクに対する情報の記録及び再生の少なくとも一方を行なうディスク装置、及びディスクを収容するディスクカートリッジに関する。
【背景技術】
【０００２】
近年、テレビ放送のデジタル化が開始されるなど、情報のデジタル化に伴い記録媒体としてのディスクへ記録される情報の高密度化に対する要求が高まっている。この要求に対する主な方策としては、情報の記録又は再生のために用いられるレーザ光のスポット径を小さくすることがあげられる。
【０００３】
レーザ光のスポット径を小さくするには、その波長を短くし、対物レンズの開口数（ＮＡ）を大きくすることが有効である。レーザ光の波長に関しては、従来からＣＤ（Compact Disk）には、例えば７８０ｎｍ程度の波長の近赤外光が用いられ、ＤＶＤ（Digital
Versatile Disk）には、例えば６５０ｎｍ程度の波長の赤色光が用いられているが、近年では、青紫のレーザ光を発振する半導体レーザが開発され、今後４００ｎｍ近傍の波長のレーザ光が用いられることが予想されている。また、対物レンズについては、従来、ＣＤ用の対物レンズのＮＡは０．５未満であり、ＤＶＤ用の対物レンズのＮＡは０．６程度であったが、今後はさらにＮＡが増大する傾向にある。
【０００４】
しかしながら、光の波長を短くすることや、対物レンズのＮＡを増大することは、対物レンズを含む光学系の焦点深度の狭小化を招く。このため、フォーカスサーボ精度を向上させる必要が生じる。また、対物レンズのＮＡが増大すると、その対物レンズとディスクの記録面との距離を小さく設定する必要があるため、ディスクの面ぶれを小さくする必要がある。その理由は、始動時のフォーカスサーボを開始する直前に対物レンズを含むピックアップとディスクとが接触するなどの事態を回避する必要があるからである。
【０００５】
このような背景から、可撓性を有するシート（薄膜）に記録面が形成されたディスクの開発がすすめられ、このディスクを安定化板上で回転させることにより、ディスクに生じる面ぶれを空気力学的に抑制するディスク装置が提案されている（例えば、特許文献１、非特許文献１参照）。
【０００６】
特許文献１に記載されているディスク装置は、円形板の両端を折り曲げて形成されたバックプレートと呼ばれる安定化部材を備え、ディスクに対して情報の記録又は再生を行なう際には、バックプレートを回転するディスクの記録面に押し当ててヘッド近傍の面ぶれを抑制しようとするものである。この方法では、光ディスクは凹面を形成する平面によって規定される折れ曲がりの部分に追従して非常に特異な屈曲動作を行う必要があり、回転の高速化にともなって屈曲動作が追いつかなくなってしまうことがある。
【０００７】
一方、非特許文献１に記載されているディスク装置は、サドルプレートと呼ばれる安定化板と、Ｕ字型スタビライザ（U-shaped stabilizer）とよばれる安定化部材を備え、ディスクに対し情報の記録又は再生を行なう際には、ディスクをＵ字型スタビライザのギャップに挟んだ状態で回転させるとともに、サドルプレートを用いて負圧力を作用させ、ディスクを前述した特許文献１に記載のディスク装置とは逆方向へ湾曲させることにより、面ぶれをギャップ内の特定領域で選択的に安定化させようとするものである。この方法では、回転を高速化するとサドルプレートによって発生する負圧がディスクに作用する遠心力に負けて、最終的にディスクを所望の湾曲形状にすることができなくなり、ギャップ内の特定領域においても面振れが増大してしまうという不都合がある。
【０００８】
ところで、特許文献１には、連続的に一様に曲がった凹面（以下、連続面ともいう）を有する安定化部材は可撓性を有する光ディスク媒体の安定化には不適であるとの記述があるが、鋭意検討の結果、発明者等は回転数が４０００ｒｐｍを越える領域では、この連続面が可撓性ディスクの安定化に有効に作用することをつきとめた。さらに、単純な連続面を有する安定化部材では、ディスクの内周領域（例えばφ１２０ｍｍのディスクでは半径５５ｍｍの円形領域）に比較して、外周領域（内周量領域以外の領域）のディスク面ぶれ特性が不安定になることが判明した。
【０００９】
【特許文献１】特開昭５７−３３６１９号公報
【非特許文献１】「オプティカル・リードアウト・オブ・ビデオディスク」  アイイーイーイー・トランザクション・オン・コンシューマー・エレクトロニクス（“ＯＰＴＩＣＡＬ  ＲＥＡＤＯＵＴ  ＯＦ  ＶＩＤＥＯＤＩＳＣ”，ＩＥＥＥ  ＴＲＡＮＳＡＣＴＩＯＮ  ＯＮ  ＣＯＮＳＵＭＥＲ  ＥＬＥＣＴＲＯＮＩＣＳ），１９７６年１１月、Ｐ．３０４−３０８
【発明の開示】
【発明が解決しようとする課題】
【００１０】
本発明はかかる事情の下になされたもので、その第１の目的は、可撓性のあるディスクの面振れを抑制し、情報の再生精度及び記録精度の少なくとも一方を向上することが可能なディスク装置を提供することにある。
【００１１】
また、本発明の第２の目的は、可撓性のあるディスクの面振れを抑制することが可能なディスクカートリッジを提供することにある。
【課題を解決するための手段】
【００１２】
本発明は、第１の観点からすると、可撓性を有するディスクの記録面に沿って移動するヘッドと、前記ディスクに対して情報の記録又は再生のいずれかを行う際に前記ディスクの回転を安定化する安定化部材と、を備えるディスク装置において、前記安定化部材は、前記ディスクの回転軸と前記ヘッドの移動経路を含む第１面での断面が前記ディスクに対し凸形状であり、かつ前記ディスクの回転軸を含み前記第１面に垂直な第２面での断面が前記ディスクに対し凹形状であることを特徴とするディスク装置である。
【００１３】
これによれば、安定化部材のディスクに沿った面は、ディスクの回転軸と光ディスク上のヘッドが移動する動線を含む第１面での断面がディスクに対して凸形状であり、ヘッドの動線に垂直な面での断面がディスクに対して凹形状となっている。
【００１４】
したがって、例えば１５００ｒｐｍ以上の回転数でディスクを回転させて情報の記録及び再生を行なう際には、安定化部材によりディスクに空気力学的な力が作用し、ディスクの動線近傍の面ぶれが、内周部から外周部にかけての全域で抑制され、結果的にディスクに対する情報の再生精度及び記録精度の少なくとも一方の向上を図ることが可能となる。
【００１５】
本発明は、第２の観点からすると、可撓性を有するディスクの記録面に沿って移動するヘッドと、前記ディスクに対して情報の記録又は再生のいずれかを行う際に前記ディスクの回転を安定化する安定化部材と、を備えるディスク装置において、前記安定化部材は、前記ディスクの回転軸を含み、前記ヘッドの移動経路に垂直な面での断面が前記ディスクに対し凹形状であり、かつ前記ディスク上の、少なくともヘッドの下流側かつ外周部近傍の領域に対応する部分にすり鉢形状の肉盗み部が形成されていることを特徴とするディスク装置である。
【００１６】
これによれば、安定化部材のディスクに沿った面はディスクの回転軸を含みヘッドの動線に垂直な面での断面がディスクに対して凹形状であり、ディスク上の動線の下流側かつ外周部近傍の領域には肉盗み部が形成されている。
【００１７】
したがって、例えば１５００ｒｐｍ以上の回転数でディスクを回転させて情報の記録及び再生を行なう際には、安定化部材によりディスクに空気力学的な力が作用し、動線近傍の面ぶれが内周部から外周部にかけての全域で抑制され、結果的にディスクに対する情報の再生精度及び記録精度の少なくとも一方の向上を図ることが可能となる。
【００１９】
上記各ディスク装置において、前記安定化部材の外周には、前記ディスクを包囲する側壁部が設けられ、該側壁部は、前記ディスク上の、少なくともヘッドの下流側かつ外周部近傍の領域に対応する位置に通孔部が形成されていることとすることができる。
【００２０】
本発明は、第３の観点からすると、可撓性を有するディスクを回動可能に収納するケーシングと、前記ディスクの記録面に沿ってヘッドを相対移動しつつ情報の記録又は再生のいずれかを行なう際に前記ディスクの回転を安定化する安定化部材と、を備えるディスクカートリッジにおいて、前記安定化部材は、前記ディスクの回転軸と前記ヘッドの移動経路を含む第１面での断面が前記ディスクに対し凸形状であり、かつ前記ディスクの回転軸を含み前記第１面に垂直な第２面での断面が前記ディスクに対し凹形状であることを特徴とするディスクカートリッジである。
【００２１】
これによれば、安定化部材のディスクに沿った面は、ディスクの回転軸と光ディスク上のヘッドが移動する動線を含む第１面での断面がディスクに対して凸形状であり、ヘッドの動線に垂直な面での断面がディスクに対して凹形状となっている。
【００２２】
したがって、例えば１５００ｒｐｍ以上の回転数でディスクを回転させて情報の記録及び再生を行なう際には、安定化部材によりディスクに空気力学的な力が作用し、ディスクの動線近傍の面ぶれが、内周部から外周部にかけての全域で抑制され、ディスク面を確実に安定化することが可能となる。
【００２３】
本発明は、第４の観点からすると、可撓性を有するディスクを回動可能に収納するケーシングと、前記ディスクの記録面に沿ってヘッドを相対移動しつつ情報の記録又は再生のいずれかを行なう際に前記ディスクの回転を安定化する安定化部材と、を備えるディスクカートリッジにおいて、前記安定化部材は、前記ディスクの回転軸を含み、前記ヘッドの移動経路に垂直な面での断面が前記ディスクに対し凹形状であり、かつ前記ディスク上の、少なくともヘッドの下流側かつ外周部近傍の領域に対応する部分にすり鉢形状の肉盗み部が形成されていることを特徴とするディスクカートリッジである。
【００２４】
これによれば、安定化部材の、ディスクに沿った面はディスクの回転軸を含みヘッドの動線に垂直な面での断面がディスクに対して凹形状であり、ディスク上の動線の下流側で外周部近傍の領域には肉盗み部が形成されている。
【００２５】
したがって、例えば１５００ｒｐｍ以上の回転数でディスクを回転させて情報の記録及び再生を行なう際には、安定化部材によりディスクに空気力学的な力が作用し、動線近傍の面ぶれが内周部から外周部にかけての全域で抑制され、ディスク面を確実に安定化することが可能となる。
【００２７】
上記各ディスクカートリッジにおいて、前記ケーシングは、前記ディスク上の、少なくともヘッドの下流側かつ外周部近傍の領域に対応する位置に通孔部が形成されていることとすることができる。
【００２８】
上記各ディスクカートリッジにおいて、前記ケーシングは、前記ディスクを包囲する円筒状の側壁部を有することとすることができる。
【発明を実施するための最良の形態】
【００２９】
《第１の実施形態》
以下、本発明の第１の実施形態を図１〜図５に基づいて説明する。図１には、第１の実施形態に係るディスク装置１００の概略構成が示されている。
【００３０】
ディスク装置１００は、可撓性のある光ディスク２０に対し情報の記録及び再生を行なうことが可能な光ディスク装置である。このディスク装置１００は、図１に示されるように、Ｚ軸に平行な回転軸２２ａを有するモータ２２、該モータ２２の回転軸２２ａの＋Ｚ側端部に固定されたスピンドルシャフト２４、光ディスク２０に対し情報の記録及び再生を行なうピックアップ２６、光ディスク２０の回転を安定させる安定化部材３０、これら各部を収容する本体（ハウジング）１０、及びピックアップ２６並びにモータ２２を制御する不図示の制御装置などを備えている。
【００３１】
光ディスク２０としては、図２の平面図に示されるように、例えば、厚さ１００μｍ、外径１２０ｍｍで中央に丸孔が形成された円形板状のポリカーボネイト製のシート２０ａの表面に記録層が成膜された可撓性を有する光ディスクが用いられる。
【００３２】
記録層は、図２において着色して示されたシート２０ａの内周直径５０ｍｍから外周直径１１６ｍｍまでの領域２０ｂに、まずスタンパのピッチ０．６μｍ、幅０．３μｍのグルーブを熱転写した後に、スパッタリングにより順次厚さ１２０ｎｍのＡｇ反射層、厚さ７ｎｍの（ＺｒＯ２−Ｙ２Ｏ３）−ＳｉＯ２層、厚さ１０ｎｍのＡｇＩｎＳｂＴｅＧｅ層、厚さ２５ｎｍのＺｎＳ−ＳｉＯ２層、厚さ１０ｎｍのＳｉ３Ｎ４層をそれぞれ成膜することにより形成されている。
【００３３】
また、光ディスク２０の表裏面には、記録層やディスク基板の保護のために、スピンコートしたＵＶ樹脂を紫外線を照射して硬化させることにより形成した厚さ１０μｍの透明保護膜が形成され、中央部には、例えば、厚さ０．３ｍｍ、外径３０ｍｍで中心部に内径１５ｍｍの丸孔が形成された円形プレート２０ｃが、その中心がシート２０ａの中心と一致するように取りつけられている。
【００３４】
安定化部材３０は、図１と、安定化部材３０を下方から見た図である図３とを総合するとわかるように、例えば、中央に直径３２ｍｍの円形開口が形成された外径１２５ｍｍの高さの低い円柱状部材であり、＋Ｚ側の面がハウジング１０の天井面に固定され、−Ｚ側の面は回転する光ディスクに対し空気力学的な力を作用させる凹面（以下、作用面ともいう）となっている。ここで、説明の便宜上図３に示されるように、安定化部材３０の−Ｚ側の面の中心ｏを原点とするｘｙ座標系を定義する。
【００３５】
安定化部材３０の作用面は、その作用面の中心を通る母線がｙ軸に平行で、例えば曲率半径１０００ｍｍで湾曲しており、図３に示されるように、ｙ軸から−ｘ方向及び＋ｘ方向へ距離Ｓ（ここでは３５ｍｍとする）隔てたｙ軸に平行な２本の直線と、作用面の外周とによって規定される領域、すなわち図３において着色された領域が平坦部となっている。そして、ｙ軸と１５度の角度をなす直線Ｌと作用面の外周が重なる位置の近傍には、一対の肉盗み部３０ａが形成されている。この肉盗み部３０ａは、一例として、図４（Ａ）及び図３における安定化部材３０のＡＡ’断面を示す図である図４（Ｂ）を総合するとわかるように、＋Ｚ側に窪んだすり鉢形状となっている。
【００３６】
図１に戻り、スピンドルシャフト２４は、円柱状の大径部と、該大径部の上端に設けられた小径部とを有する段付き円柱状の部材である。光ディスク２０は円形プレート２０ｃの丸孔にスピンドルシャフト２４の小径部が挿入され、大径部の上面によって下方から支持されることにより、記録層を下面としてスピンドルシャフト２４に装着されている。また、本実施形態では一例として光ディスク２０は、該光ディスク２０が平坦と仮定した時の記録面と、安定化部材３０の安定化面の平坦部との距離が１５０μｍとなるようにスピンドルシャフト２４に装着されているものとする。
【００３７】
モータ２２は、回転軸２２ａを駆動することによりスピンドルシャフト２４を介して光ディスク２０を、例えば約４０００〜１４０００ｒｐｍの範囲内で回転させる。光ディスク２０の回転数などは、不図示の制御装置により制御される。
【００３８】
ピックアップ２６は、光ディスク２０の下方（−Ｚ側）に配置され、光源、対物レンズを含む光学系、受光素子などを含む周知の構成のものが用いられている。ピックアップ２６は、モータ２２により回転される光ディスク２０の記録面にレーザ光を集光するとともに、記録面からの反射光を受光して光ディスク２０からの情報の読み取り（再生）、及び光ディスクに対する情報の書き込み（記録）などを行う。このピックアップ２６は、不図示のピックアップ駆動装置によって光ディスク２０の半径に沿ってＹ軸方向に駆動される。
【００３９】
次に、上述のように構成されたディスク装置１００により、光ディスク２０に対し情報の記録及び再生を行なった場合の安定化部材３０の作用について説明する。光ディスク２０が回転すると、光ディスク２０にはその回転により発生する遠心力により水平な状態になろうとする復元力と、光ディスク２０の面形状に起因して、上下面にそれぞれ作用する圧力の差による反発力が発生する。安定化部材３０は、光ディスク２０に対し空気力学的な力を作用させ、光ディスク２０に生じる復元力と反発力のつりあいをとることにより、いわゆる光ディスク２０の面ぶれ（ディスク２０の回転方向の振れ）を低減するものである。
【００４０】
発明者等は、上述した一対の肉盗み部３０ａが形成された安定化部材３０と、肉盗み部が形成されていない安定化部材（以下、便宜上安定化部材３０’と表すものとする）を用いて光ディスク２０の安定化実験を行なった。安定化実験は、図５（Ａ）に示されるように、光ディスク２０を矢印ｂに示される方向に回転させた状態で、光ディスク２０の外周の−Ｙ側端の点Ｐ２と、点Ｐ２から外周に沿って−３０度及び＋３０度の位置にある点Ｐ１及びＰ３とにより規定される中心角６０度の円周上の各位置で観測される、光ディスク２０の面ぶれにより生じるＺ軸方向の振幅を計測するものである。
【００４１】
まず、図１における安定化部材３０を安定化部材３０’に交換し、光ディスク２０をモータ２２を介して所定の回転数で回転させたときに、ディスク２０の外周部に生じる面ぶれによる振幅を計測した。この場合、点Ｐ２の光ディスク２０の回転方向下流側（Ｐ１側）の位置近傍では、光ディスク２０に対し安定化部材３０’から離れる方向の力が作用する。したがって、この離れた部分には安定化部材３０’が十分に作用せず、ディスク２０の外周部の面ぶれ特性は図５（Ｂ）に一点鎖線で示される曲線のようになった。
【００４２】
この面ぶれ特性から、点Ｐ２の回転方向下流側近傍でディスク２０の面ぶれが局部的に増加し、安定化部材３０’はその機能を果たさなくなっていることがわかる。このような現象は、光ディスク２０の回転数がさほど速くない４０００ｒｐｍ付近で確認され、回転数が１００００ｒｐｍを越える高速域になるとその影響は顕著となる。そこで、この現象に関して鋭意検討を重ねた結果、光ディスク２０が所定の回転数以上で回転することにより生じる、光ディスク２０を安定化部材から引き離す方向に作用する力を抑制することが肝要であるという結論に至った。
【００４３】
この結論から導かれた具体的な方法として採用されたのが上述した安定化部材３０である。安定化部材３０を用いた安定化実験でも同様に、図５（Ａ）に示されるように、光ディスク２０を矢印ｂに示される方向に回転させ、光ディスク２０の外周に沿った点Ｐ１、Ｐ２、Ｐ３で規定される円周上の各位置における、光ディスク２０の面ぶれによるＺ軸方向の振幅を計測した。安定化部材３０は、上述したようにｙ軸と作用面の外周が交わる点から時計回りに１５度の位置近傍に一対の肉盗み部３０ａが形成されている。このため、安定化部材３０’の安定化実験のときに、点Ｐ２近傍の回転方向下流側に生じた光ディスク２０を引き剥がす方向に働く力が緩和され、ディスク２０の外周部の面ぶれ特性は図５（Ｂ）に実線で示される曲線のようになった。この結果から、安定化部材３０を用いると、面ぶれ特性は図５（Ｂ）中に一点鎖線で示される曲線に比べて全体的に平坦となり、特に点Ｐ２の回転方向下流側近傍の面ぶれが著しく改善されているのがわかる。
【００４４】
また、光ディスク２０の回転数を４０００ｒｐｍから１４０００ｒｐｍまで２０００ｒｐｍずつ段階的に変化させて、光ディスク２０の中心から−ｙ方向へ２５ｍｍ隔てた位置にある点Ｐ４、４０ｍｍ隔てた位置にある点Ｐ５、５８ｍｍ隔てた位置にある点Ｐ６で観測される光ディスク２０の振幅をレーザ変位計を用いて計測した。次表１は、安定化部材３０’を用いたときの測定結果を示したものであり、次表２は、安定化部材３０を用いたときの測定結果を示したものである。
【００４５】
【表１】
0004721271.tif 000002
【００４６】
【表２】
0004721271.tif 000003
【００４７】
表１に示されるように、安定化部材３０’を用いた場合には、点Ｐ４及び点Ｐ５で観測される振幅は、いずれの回転数においても１０μｍ以内に抑えられているが、点Ｐ６で観測される振幅は１５μｍを越えて急激に増大しているのがわかる。一方、安定化部材３０を用いた場合には、表２に示されるように、点Ｐ４、Ｐ５及びＰ６で観測される振幅は、いずれの回転数においても１０μｍ以内に抑えられているのがわかる。
【００４８】
したがって、従来から用いられている安定化部材３０’と比較して、本実施形態にかかる安定化部材３０を用いると、光ディスク２０に生じる、ピックアップ２６の動線（図２の矢印ａ、ａ’で示されるピックアップ２６が移動する経路を示す線）近傍の面ぶれを著しく低減することができることがわかる。
【００４９】
以上説明したように、本第１の実施形態にかかるディスク装置１００によると、スピンドルシャフト２４に保持された光ディスク２０は、モータ２２により所定の回転数で回転され、ピックアップ２６によって記録層２０ｂに情報の記録又は再生が行なわれる際には、安定化部材３０により、光ディスク２０の記録層２０ｂが形成された、例えば半径２５ｍｍから半径５８ｍｍまでの領域の面ぶれが効果的に抑制され、結果的に光ディスク２０に対する情報の再生精度及び記録精度の向上を図ることが可能となる。
【００５０】
また、本第1の実施形態では、安定化部材３０に一対の肉盗み部３０ａが形成されている場合について説明したが、これに限らず、肉盗み部３０ａに代えて図６（Ａ）に示されるように、排気口３０ｂが設けられた安定化部材３０Ａを用いてもよい。この安定化部材３０Ａに形成された排気口３０ｂは、図６（Ａ）と図６（Ａ）におけるＡＡ’断面を示す図である図６（Ｂ）を総合するとわかるように、安定化部材３０Ａの一側から他側へ抜ける貫通孔である。
【００５１】
この安定化部材３０Ａを用いて上述した安定化実験を行なったところ、次表３に示されるような測定結果が得られた。
【００５２】
【表３】
0004721271.tif 000004
【００５３】
表３に示された結果から、安定化部材３０Ａを用いた場合にも、点Ｐ４〜Ｐ５において観測される面ぶれによる振幅を１０μｍ以下に抑えることができ、肉盗み部３０ａを設けた場合と同様に、光ディスク２０に対する情報の再生精度及び記録精度を向上を図ることが可能であることがわかる。
【００５４】
また、安定化部材３０に代えて、その作用面が図７（Ａ）に示されるように、ｙ軸から＋ｘ方向へ距離Ｓ隔てたｙ軸に平行な２本の直線と、ｘ軸から＋ｙ方向へ距離Ｓ隔てたｘ軸に平行な２本の直線とによって規定された領域、すなわち図７（Ａ）において着色された領域が平坦部になっており、ｘＺ断面が光ディスク２０に対し凹形状で、ｙＺ断面が図７（Ｂ）に示されるように、光ディスク２０に対して凸形状となっている安定化部材３０Ｂを用いてもよい。この場合安定化部材３０Ｂの作用面は複雑な３次元曲面となるが、安定化部材３０Ｂの作用面の形状を決める主要な要素、例えば、ｘＺ断面の凹形状の曲線部分の曲率半径は１０００ｍｍであり、図７（Ｂ）に示される凸形状の曲線部分の曲率半径は３０００ｍｍである。
【００５５】
この安定化部材３０Ｂを用いて上述した安定化実験を行なったところ、次表４に示されるような計測結果が得られた。
【００５６】
【表４】
0004721271.tif 000005
【００５７】
表４に示された結果から、安定化部材３０Ｂを用いた場合にも、点Ｐ４〜Ｐ５において観測される面ぶれによる振幅を１０μｍ以下に抑えることができ、同様に光ディスク２０に対する情報の再生精度及び記録精度の向上を図ることが可能となることがわかる。
【００５８】
《第２の実施形態》
次に、本発明の第２の実施形態を、図８〜図１０に基づいて説明する。ここで、前述した第１の実施形態と同等の構成部分については、同一の符号を用いるとともに説明を簡略し又は省略するものとする。
【００５９】
図８には、第２の実施形態に係るディスク装置１００の概略構成が示されている。ディスク装置１００は、図８に示されるように、回転軸２２ａを有するモータ２２、該モータ２２の回転軸２２ａの＋Ｚ側端部に固定されたスピンドルシャフト２４、不図示の保持部材に着脱自在に保持されたディスクカートリッジ４０、ディスクカートリッジ４０に収納された光ディスク２０に対し情報の記録及び再生を行なうピックアップ２６、上記各部を収容する本体（ハウジング）１０、及びピックアップ２６並びにモータ２２を制御する不図示の制御装置などを備えている。
【００６０】
ディスクカートリッジ４０は、一例として、図８に示されるように、相互に係合するカバー４２及びベース４４と、カバー４２とベース４４とにより形成された内部空間に収容される安定化部材３０、及び光ディスク２０を備えている。
【００６１】
カバー４２は、平面視正方形板状で下面（−Ｚ側の面）には、安定化部材３０の上面が固定されている。
【００６２】
ベース４４は、図９に示されるように、正方形板状の部材で、上面中央には光ディスク２０よりやや大きい円形の部分が下方（−Ｚ方向）に窪んだ円形状の凹部４４ｃが形成されている。この凹部４４ｃの内部底面はＸＹ面に平行で、長手方向をＹ軸方向とする鍵穴状のスロット４５が形成されている。このスロット４５は円形の開口部４５ａと長方形状の開口部４５ｂが連通したような形状を有し、開口部４５ａはその中心が凹部４４ｃの内部底面の中心と一致するように形成され、開口部４５ｂは開口部４５ａの−Ｙ側から凹部４４ｃの内壁面まで延びるように形成されている。また、凹部４４ｃの内壁面には、図９及びベース４４の平面図である図１０を総合するとわかるように、凹部４４ｃの内壁面の＋Ｙ側端及び−Ｙ側端の部分より図１０における時計回りにそれぞれ約１５度ずれた位置からベース４４の外壁面に抜ける一対の排気通路４４ａが形成されている。該排気通路４２は、例えば断面形状が縦２ｍｍで横２ｍｍの正方形状であり、Ｙ軸と４５度の角度をなすように形成されている。
【００６３】
そして、ベース４４は、図８に示されるように、カバー４２の下面に固定された安定化部材３０と、該安定化部材３０の下方に配置された光ディスク２０とが、凹部４４ｃに収容された状態で、カバー４２の下面に固定されている。
【００６４】
このように構成されたディスクカートリッジ４０は、ディスク装置１００の保持部材（不図示）に装着されると、内部に収容された光ディスク２０は、カートリッジ４０の下方から、ベース４２に形成されたスロット４５の開口部４５ａを介して挿入されたスピンドルシャフト２４に回動可能に支持されるとともに、ピックアップ２６がスロット４５の開口部４５ｂを介して光ディスク２０にアクセス可能な状態となる。制御装置は、モータ２２を制御して光ディスクを所定の回転数で回転駆動し、ピックアップ駆動装置を介してピックアップ２６をスロット４５の開口部２６ｂに沿ってＹ軸方向に移動させながら、光ディスク２０の記録層に対し情報の再生又は記録を行なう。
【００６５】
以上説明したように、本第２の実施形態にかかるディスクカートリッジ４０によると、内部に収容された光ディスク２０がモータ２２により所定の回転数で回転されると、ディスクカートリッジ４０のカバー４０の下面に固定された安定化部材３０により、光ディスク２０の記録層２０ｂが形成された領域（光ディスクの内周直径５０ｍｍから外周直径１１６ｍｍまでの領域）の面ぶれが効果的に抑制される。
【００６６】
また、一般に可撓性のあるディスクを閉鎖空間で回転させる場合には、ディスクの面ぶれが助長される傾向にあるが、ディスクカートリッジ４０のベース４４には、安定化部材３０に形成された肉盗み部３０ａの近傍から外部空間にぬける排気通路４４ａが設けられている。このため、光ディスク２０の回転によりベース４４のスロット４５などから進入した空気は、安定化部材３０により光ディスク２０に対し面ぶれを抑制する力を生じさせた後、排気通路４４ａから速やかに排出される。したがって、光ディスク２０は、閉鎖空間であるディスクカートリッジ４０の内部に収容されているにもかかわらず、安定化部材３０の作用により面ぶれが効果的に抑制され、安定的に回転することが可能となっている。
【００６７】
また、本第２の実施形態では安定化部材３０に１対の肉盗み部３０ａが形成されている場合について説明したが、図６（Ａ）に示されるように、肉盗み部３０ａに代えて排気口３０ｂが形成された安定化部材３０Ａを用いてもよい。
【００６８】
また、図７（Ａ）に示されるように、着色された領域が平坦部になっており、ｘ軸を含みｙｚ面に垂直な面での断面が光ディスク２０に対し凹形状で、ｙ軸を含みｙｘ面に垂直な面での断面が図７（Ｂ）に示されるように、光ディスク２０に対して凸形状となった安定化部材３０Ｂを用いてもよい。
【００６９】
なお、上記各実施形態における安定化部材３０の外径、及び作用面の曲率半径の値は一例であり、ディスク装置１００に用いられるディスクに応じて、最適な値とすることができる。例えば、ディスクの外径が小さくなればそれに応じて安定化部材３０の外径も小さくすればよく、ディスク基板の厚さや材質が光ディスク２０と異なるものを用いる場合には、例えば、実験やシミュレーションなどにより最適な安定化部材の形状を決定すればよい。
【００７０】
また、安定化部材としては、例えばプラスティックの射出整形や、金属板を板金加工することにより製造することができる。
【００７１】
また、上記各実施形態では安定化部材３０が、光ディスク２０の上方に配置されている場合について説明したが、これに限らず、下方に配置されていてもよい。
【００７２】
また、上記各実施形態では、光ディスク２０の一側に設けられた安定化部材３０のみによって、光ディスク２０の面ぶれを抑制したが、これに限らず、安定化部材３０に加えて、図１１（Ａ）及び図１１（Ｂ）に示されるように、光ディスク２０の他側に、肉盗み部３０ａなどを除いて、安定化部材３０の作用面を反転させた形状の作用面を有する補助安定化部材３２を配置してもよい。
【００７３】
また、上記各実施形態では、光ディスク２０をディスクカートリッジ４０に収納させた場合に、光ディスク２０が収容された空間から、外部空間に通じる排気通路４４ａを設けることとしたが、これに限らず、ディスクカートリッジ４０を用いない場合であっても、ドライブ装置１００の閉鎖空間内で光ディスク２０を回転駆動する場合には、該閉鎖空間から外部空間へ通じる排気通路を設けることで、空気の乱流による面ぶれの助長を抑制することができる。また、光ディスク２０を囲む閉鎖空間としては、例えば、光ディスク２０の外周に沿った円筒状の内壁面により規定される空間であることが望ましい。
【００７４】
また、上記各実施形態では、ディスク装置１００が１つのピックアップ２６を備えている場合について説明したが、これに限らず、例えば、ピックアップ２６の他に、スピンドルシャフト２４を挟んで他のピックアップを配置してもよい。このようにすれば、ディスク装置１００で、例えば２つのピックアップを用いた転送レートの高速化が図れるようになる。
【００７５】
また、上記各実施形態では、一対の肉盗み部３０ａ及び排気口３０ｂがそれぞれ設けられている場合について説明したが、これに限らず、ピックアップ２６近傍にのみ肉盗み部３０ａ又は排気口３０ｂが形成されていてもよい。要は、ピックアップ２６近傍に生じる光ディスク２０の面ぶれを抑制し、ピックアップ２６が精度よく記録層にアクセスできればよい。
【００７６】
また、上記各実施形態では、安定化部材３０により可撓性のある光ディスクを安定化する場合について説明したが、これに限らず、例えば、磁気ディスクや光磁気ディスクなどの可撓性を有するディスクにも好適である。
【産業上の利用可能性】
【００７７】
以上説明したように、本発明のディスク装置１００は、可撓性のあるディスクに対し、情報の再生及び記録を行なうのに適しており、本発明のディスクカートリッジ４０は、可撓性のあるディスクを収納するのに適している。
【図面の簡単な説明】
【００７８】
【図１】本発明の第１の実施形態にかかるディスク装置１００の概略的な構成を示す図である。
【図２】図１における光ディスク２０を説明するための図である。
【図３】図１における安定化部材３０を示す平面図である。
【図４】図４（Ａ）は安定化部材３０の側面図であり、図４（Ｂ）は安定化部材の断面図である。
【図５】図５（Ａ）は光ディスク２０の面ぶれの計測位置を示す図であり、図５（Ｂ）は光ディスク２０の面ぶれ特性を示す図である。
【図６】図６（Ａ）及び図６（Ｂ）は、安定化部材３０の第１の変形例を示す図である。
【図７】図７（Ａ）及び図７（Ｂ）は、安定化部材３０の第２の変形例を示す図である。
【図８】本発明の第２の実施形態にかかるディスク装置１００の概略的な構成を示す図である。
【図９】図１におけるディスクカートリッジ４０のベース４４を示す斜視図である。
【図１０】図１におけるディスクカートリッジ４０のベース４４を示す平面図である。
【図１１】図１１（Ａ）は第１の実施形態にかかるディスク装置１００の変形例を示す図であり、図１１（Ｂ）は第２の実施形態にかかるディスク装置１００の変形例を示す図である。
【符号の説明】
【００７９】
２０…光ディスク、２６…ピックアップ、３０，３０Ａ，３０Ｂ…安定化部材、１０…本体（ハウジング）、２０ａ…シート、２０ｂ…領域（記録層）、２４…スピンドルシャフト、２２…モータ、２２ａ…回転軸、３２…補助安定化部材、４０…ディスクカートリッジ、４２…カバー、４４…ベース、４４ａ…排気通路、４４ｃ…凹部、４５…スロット、４５ａ，４５ｂ…開口部
【図１】
0004721271.tif 000006
【図２】
0004721271.tif 000007
【図３】
0004721271.tif 000008
【図４】
0004721271.tif 000009
【図５】
0004721271.tif 000010
【図６】
0004721271.tif 000011
【図７】
0004721271.tif 000012
【図８】
0004721271.tif 000013
【図９】
0004721271.tif 000014
【図１０】
0004721271.tif 000015
【図１１】
0004721271.tif 000016